(57)【特許請求の範囲】
【請求項１】
記録紙が載置し得る大きさを有する記録紙載置面の略中央に軸突起を形成してなる構成を有する記録紙台と、
上記載置面の内側に納まる大きさの板体の表面に上記軸突起に嵌合可能な軸穴を有した径寸法の異なる軸穴付突起を、相互の間隔が記録紙の半径より若干大きくなるようにして複数個形成してなる構成を有するアダプターと、
上記各軸穴付突起に回転自在に嵌合可能な複数の軸受孔を有し、筆記具のペン先挿入用の複数の挿入孔を上記軸受孔からそれぞれ異なる所定間隔をおいて穿設してなる挿入孔部を形成した構成を有するマーク部材とからなるタコグラフ記録紙用目盛りマーカー。
【請求項２】
前記記録紙台は周縁の一部に折返し片を有する延出面を形成し、この折返し片の前記軸突起に対向する一辺に前記マーク部材の軸穴付突起を嵌め込み可能な切欠部を形成してなる構成とし、かつ、前記アダプターは一つの軸穴付突起の軸穴を前記記録紙台の軸突起に嵌合した際他の一つの軸穴付突起が上記切欠部に嵌合可能に設定してなる構成としたことを特徴とする請求項１に記載のタコグラフ記録紙用目盛りマーカー。
【請求項３】
前記マーク部材は前記軸受孔からそれぞれ異なる間隔をおいた挿入孔部を複数組形成した構成を有するものとした請求項１または２に記載のタコグラフ記録紙用目盛りマーカー。
【請求項４】
前記マーク部材に各軸受孔と各挿入孔部との対応関係を明示する識別表示を施したことを特徴とする請求項３に記載のタコグラフ記録紙用目盛りマーカー。
【請求項５】
前記アダプターは、細長い板体の両端に軸穴付突起を形成すると共に、当該少なくとも１つの軸穴付突起の基部に回転自在に略同長の別の板体の一端を連結し、この板体の他端に上記各軸穴付突起と外径の異なる軸穴付突起を形成してなる構成を有する請求項１〜４のいずれかに記載のタコグラフ記録紙用目盛りマーカー。
【請求項６】
前記軸穴付突起の外側に嵌合可能かつ前記マーク部材の軸受孔に嵌合可能なリング部材を設け、このリング部材を外側から嵌合した軸穴付突起が上記マーク部材の軸受孔に隙間なく嵌合するようにしたことを特徴とする請求項１〜５のいずれかに記載のタコグラフ記録紙用目盛りマーカー。
【請求項７】
前記マーク部材の一部またはその全部を拡大レンズで形成するか、或いは一部から拡大レンズを突設してなる請求項１〜６のいずれかに記載のタコグラフ記録紙用目盛りマーカー。
【発明の詳細な説明】
【０００１】
【発明の属する技術分野】
本発明は、トラックやバスなどに装着されているタコグラフの記録紙を一見して見やすくするためのタコグラフ記録紙用目盛りマーカーに関する。
【０００２】
【従来の技術】
運送用トラック或いはバス・タクシーなどの業務用車両の運行速度や運行距離を時間と共に計測するタコグラフの記録紙は、一般に目盛りが小さく密集して非常に読み取りにくいものであることから、この記録紙を一見して見やすくするためのタコグラフ記録紙用目盛りマーカーが既に本発明者により提供されている（実開平７−４１６６５号公報）。
【０００３】
【発明が解決しようとする課題】
しかしながら、タコグラフの記録紙には中央部に形成された固定用小孔に大きさの異なるものが数種類あり、また小孔の大きさが同じものでも記録紙自体の大きさや目盛りの印刷の仕方に種々のものがあるため、従来の目盛りマーカーは適用可能な記録紙がごく一部のものに限られていた。
【０００４】
そこで、本発明は上記問題点を解消すべくなしたものでありその目的とするところは、数多くの記録紙を適用することが可能なタコグラフ記録紙用目盛りマーカーを提供することにある。
【０００５】
【課題を解決するための手段】
上記目的を達成するために本発明は、記録紙が載置し得る大きさを有する記録紙載置面の略中央に軸突起を形成してなる構成を有する記録紙台と、
上記載置面の内側に納まる大きさの板体の表面に上記軸突起に嵌合可能な軸穴を有した径寸法の異なる軸穴付突起を、相互の間隔が記録紙の半径より若干大きくなるようにして複数個形成してなる構成を有するアダプターと、
上記各軸穴付突起に回転自在に嵌合可能な複数の軸受孔を有し、筆記具のペン先挿入用の複数の挿入孔を上記軸受孔からそれぞれ異なる所定間隔をおいて穿設してなる挿入孔部を形成した構成を有するマーク部材とからなるタコグラフ記録紙用目盛りマーカーを特徴とするものである。
【０００６】
また、本発明のタコグラフ記録紙用目盛りマーカーは、前記記録紙台を周縁の一部に折返し片を有する延出面を形成し、この折返し片の前記軸突起に対向する一辺に前記マーク部材の軸穴付突起を嵌め込み可能な切欠部を形成してなる構成とし、かつ、前記アダプターを一つの軸穴付突起の軸穴を前記記録紙台の軸突起に嵌合した際他の一つの軸穴付突起が上記切欠部に嵌合可能に設定してなる構成としたものが好ましい。
【０００７】
さらに、前記マーク部材を前記軸受孔からそれぞれ異なる間隔をおいた挿入孔部を複数組形成した構成を有するものとすることができ、各軸受孔と各挿入孔部との対応関係を明示する識別表示を施したものとすれば一層好ましい。
【０００８】
そして前記アダプターを、細長い板体の両端に軸穴付突起を形成すると共に、当該少なくとも１つの軸穴付突起の基部に回転自在に略同長の別の板体の一端を連結し、この板体の他端に上記各軸穴付突起と外径の異なる軸穴付突起を形成してなる構成とすることもできる。
【０００９】
また前記軸穴付突起の外側に嵌合可能かつ前記マーク部材の軸受孔に嵌合可能なリング部材を設け、このリング部材を外側から嵌合した軸穴付突起が上記マーク部材の軸受孔に隙間なく嵌合するようにしたものとすることもできる。
【００１０】
なおマーク部材は、その一部またはその全部を拡大レンズで形成するか、或いは一部から拡大レンズを突設してなるものが好ましい。
【００１１】
【発明の実施の形態】
以下、本発明の一実施例を図面を参照して説明する。
本発明のタコグラフ記録紙用目盛りマーカーは図１及び図２に示す記録紙台１と、図３〜図５に示すアダプター２と、図６に示すマーク部材３とを組み合わせてなるものであり、図示したものは中央の小孔が大小二種類の記録紙に適用することを可能としてある。
【００１２】
記録紙台１はプラスチック板等の硬質の板材を記録紙が載置し得る大きさの略円形状に型取り、かつ小孔４ａを形成してなる載置面４の略中央に小形円柱状の軸突起５を設けると共に、載置面４の周縁の一部から矩形状の延出面６の先端に折代６ａを形成するよう折返してなる折返面６ｂを設けて当該延出面６と折返面６ｂとによる二枚重ね状の収納部７を設けたものである。
折返面６ｂは軸突起５と対向する側辺６ｃを軸突起５の軸方向に沿って若干折曲げると共に、側辺６ｃの中央部に略Ｕ字状の切欠部６ｄを設けてあり、また折代６ａの近傍に小突起状のつまみ部６ｅを形成してある。
【００１３】
アダプター２はプラスチック等の硬質な板材を記録紙台１の載置面４の内側に納まり、かつ載置面４の円形状部分の半径よりも若干長い長さを有する矩形状であって、その両端を円形状に型取ってなる板体８に対し、その表面の両端部に径寸法の異なる円柱状の部材を固着して軸穴付突起９ａ，９ｂを形成したものである。
【００１４】
軸穴付突起９ａ，９ｂには記録紙台１の軸突起５の径寸法に略合致する大きさの内径幅を有する軸穴１０，１０を両者の内側と板体８とに渡り連通して形成してある。なお、図示した軸穴付突起９ａは軸穴付突起９ｂよりも径寸法を大きく形成してある。
【００１５】
マーク部材３はプラスチック板等の硬質の板材から任意形状に型取ってなる板体１１に内径の寸法の異なる軸受孔１２ａ、１２ｂを穿設すると共に、筆記具のペン先挿入用の複数の挿入孔１３を軸受孔１２ａ（１２ｂ）からそれぞれ異なる所定間隔を持たせ、かつ一列に並べて穿設してなる挿入孔部１４を四組形成したものである。また、軸受孔１２ａ（１２ｂ）を中心として挿入孔部１４の反対側の端部には小突起状のつまみ部１１ａを形成してある。なお、図示では軸受孔１２ａの大きさを軸受孔１２ｂより大きくし、なおかつ軸受孔１２ａには軸受孔１２ｂと同じ大きさの軸受孔１２ｃを連続形成してある。
【００１６】
挿入孔１３はいずれも、内径の寸法をサインペンやボールペン等の筆記具のペン先を挿入した際に当該ペン先が板体１１の裏面から若干突出し得る程度に形成してあり、また、同じ挿入孔部１４に穿設されたもの同士が同一の記録紙上の速度目盛りに対応するようにしてある。すなわち、同じ挿入孔部１４内の各挿入孔１３は軸受孔１２ａ（１２ｂ）からの間隔が同一の記録紙の中央の小孔と各速度目盛りとの間隔に合致するようにして穿設してある。
【００１７】
そして、各挿入孔部１４は小孔の大きさは同じであるものの、記録紙自体の大きさや目盛りの印刷位置が異なる別の記録紙用として形成してある。これにより同じ記録紙中の例えば40km,60km,80kmと別の目盛り位置に適用する場合は所定の挿入孔部１４の中でそれぞれの目盛りに対応する挿入孔１３を用いれば良いが、別の挿入孔部１４に取替えると軸受孔１２ａ（１２ｂ）からの距離を替えることができるので、大きさが異なる等別の記録紙であってもトレースすることが可能となっている。
【００１８】
なお、挿入孔１３の近傍には40km,60km,80kmの如く印刷したシールを貼着する等して対応する速度目盛の数字を表示すると共に、各軸受孔１２ａ（１２ｂ）と各挿入孔部１４との対応関係が明確になるような表示、例えばアルファベット記号や数字の表示または色分け表示等を施すのが好ましい。こうすうと、対応する軸受孔１２ａ（１２ｂ）及び挿入孔部１４の組合わせをその他の組合わせから識別することができ、トレース作業時の取扱いが便利になるからである。
【００１９】
以上のような構成を有する目盛りマーカーは以下のようにして使用する。
記録紙の小孔が大きい方の場合は図７に示すように、軸穴付突起９ａを軸突起５に外側から嵌合させて載置面４の略中央に設置すると共に、反対側の軸穴付突起９ｂを切欠部６ｄに納めるようにしてアダプター２を固定する。
【００２０】
次に、中央の小孔を軸穴付突起９ａの外側から嵌込んで記録紙Ｐを記録紙台１及びアダプター２上に載置し、さらにその上から図８に示すようにして軸受孔１２ａを軸穴付突起９ａの外側から嵌込んでマーク部材３を載置する。そして、挿入孔部１４の中からトレースしようとする速度目盛りに対応するものを選択した上で所望の挿入孔１３を選択し、その挿入孔１３に筆記具Ａのペン先を差込んでなぞることにより所望の速度目盛りをトレースすることができる。この場合、別の速度目盛りをトレースする場合は同じ挿入孔部１４の中の別の挿入孔１３に取り替えて同じ要領で行えばよい。
【００２１】
また小孔の大きさが小さい方の場合はアダプター２の軸穴付突起９ａを小さい方の軸穴付突起９ｂに取り替えて上記同様にすることにより、所望の速度目盛りをトレースすることができる。
さらに、軸穴付突起９ａ（９ｂ）を取り替えずに挿入孔部１４を別の挿入孔部１４に取り替えるだけで軸受孔１２ａ（１２ｂ）と挿入孔部１４との間隔を代えることができるので、小孔の大きさは同じであるが、記録紙の大きさや速度目盛りの記載が異なる場合でもトレースが可能となっている。
【００２２】
このように、小孔の大きさに応じてアダプター２を使い分けると共に、アダプター２の軸穴付突起９ａ（９ｂ）に対応させてマーク部材３の軸受孔１２ａ（１２ｂ）を使い分けることによって小孔の大きさが大小二種類の記録紙に適用することが可能となる。しかも、挿入孔部１４を適宜選択して使用することにより、小孔の大きさは同じでも目盛りの記載が異なる等の別の記録紙に対して適用することが可能となっている。
【００２３】
一方、上記の目盛りマーカーは使用後乃至使用しない場合は図９及び図１０に示すようにして各部材を一体化しておくことができる。すなわち、図９に示すようにアダプター２の軸穴付突起９ａ、９ｂのいずれか一方にマーク部材３の軸受孔１２ａ、１２ｂのいずれか一方を嵌め込み（図９には軸穴付突起９ｂに軸受孔１２ｂを嵌め込んだ状態を示してある）、そのままアダプター２及びマーク部材３を記録紙台１の収納部７の方向（図のａ方向）にスライドさせる。そして、軸穴付突起９ｂが切欠部６ｄに納まるようにして折返面６ｂと延出面６とによる二枚重ね状部分にマーク部材３の下側大半と、アダプター２の軸穴付突起９ｂを形成した側の一部とを収納させ、同時に軸穴付突起９ａ側の軸穴１２ｃを軸突起５に外側から嵌合させる（図１０）。こうしておくと、各部材を一体化しておくことができるので本発明の目盛りマーカーは各部材を紛失しくいという効果を奏するものである。
【００２４】
なお上記のように各部材の一体化状態または記録紙の目盛りをトレースする場合に記録紙台１を机の上に載置しても、つまみ部６ｅを設けてあるために記録紙台１がつかみ難いということはなく、また小孔４ａを壁に打ちつけた釘等に引っかけて保存することができる等、取扱性や保存性を高めたものとなっている。
【００２５】
そして上記の記録紙台１は記録紙が円形であることに対応させて載置面４の形状を略円形状としてあるが、もちろん円形状に限定されるものではなく記録紙を載置し得る程度の大きさを持たせた正方形状としてもよい。
また、上記収納部７は矩形状に延設した部分を二つ折り状に折り返して形成してるため、収納部７だけでなく記録紙台１全体の製造が極めて簡易なものとなっているが、収納部７の構成は必ずしも上記に限定されるものではなく、適当な箱状に形成する等によりマーク部材３及びアダプター２の収納状態をより安定化させ、かつ紛失防止に優れたものにすることもできる。
【００２６】
また、アダプター２の板体８はできるだけ薄い材質のものを用いるのが好ましい。そうすれば、アダプター２を載置しても載置面４は略平坦になるので記録紙をトレースする際筆記具をペン先がアダプター２に引っ掛かりにくく、トレースが容易に行えるからである。
【００２７】
そして、アダプター２は上記のように軸穴付突起９ａ、９ｂを二つ設けたものに限定されるものではなく、図１１（Ａ）に示す如く板体８Ａを適当な大きさの三角形状に形成して各頂点部分に大きさの異なる軸穴付突起９ａ，９ｂ，９ｃを設けたものとすることもできる。
【００２８】
また同図（Ｂ）の如く適当な肉厚を有する高さの低い円筒部１５ａの底部に若干幅の鍔部１５ｂを突設したリング部材１５を用意し、このリング部材１５の円筒部１５ａをアダプター２の軸穴付突起９ａ（９ｂ）に外側から嵌合した状態で当該軸穴付突起９ａ（９ｂ）をマーク部材３の軸受孔１２ａ（１２ｂ）に隙間なく嵌め込み、軸穴付突起９ａ（９ｂ）と軸受孔１２ａ（１２ｂ）との間に円筒部１５ａを挟めるようにしておくと、軸受孔１２ａ（１２ｂ）の大きさを円筒部１５ａの肉厚に相当する分だけ調整することが可能になる。これにより、軸穴付突起９ａ（９ｂ）とは異なる大きさの小孔を持つ記録紙をトレースすることも可能になる。
【００２９】
さらに、図１２、図１３に示す如き板体８及び板体８ａをスライド自在な二枚重ね状にし、板体８ａの外側端部に大きさの異なる軸穴付突起９ｃを形成して９ａ〜９ｃの３つの軸穴付突起を形成したものとすることができる。これは軸穴付突起９ｂの下方周縁部を若干切除して縮径部１６を形成し、当該縮径部１６の径寸法に合致する内径幅を有する小孔１７を形成した板体８と略同形状の板体８ａを、板体８のほかに別途用意し、そしてこの板体８ａを板体８の上に重ね合わせた上で小孔１７に縮径部１６の形成部分を嵌め込んで軸穴付突起９ｂの底面を板体８に接着する等して固着したものである。
【００３０】
同様にして図１４に示す如く板体８、８ａ，８ｂのスライド自在な三枚重ね状とすると共に、９ａ〜９ｄの４つの突出部を形成したものとすることができることはいうまでもない。
【００３１】
このようにしておくことにより、大小二種類の記録紙のほかさらに別の記録紙にも適用できるようになり、より好ましいものにすることもできる。
なお、アダプター２とマーク部材３とに透明な材質を用いると、記録紙台１の載置面４上に載置した記録紙の上からさらに両部材を載置してもその記録紙が透視可能であり、トレース作業を容易に行うことができる。
【００３２】
また、この場合、特にマーク部材３については、挿入孔部１４にペン先を挿入する際に記録紙の目盛りを参照することになるので、図１５に示す如く、板体１１の一部に拡大レンズ３ａを取付けたり、或いは板体１１自体を拡大レンズ板を用いて形成したものとするか、さらには、板体１１の一部に拡大レンズを突設したものするのが好ましい。これにより、記録紙の細かな目盛りが当該レンズで拡大され、その読取りが容易になるからである。もちろん、マーク部材３のみならず、アダプター２についても、一部に拡大レンズを取付けたり、アダプター２の板体８自体を拡大レンズ板とすることもできる。なお、拡大レンズ３ａは、板体１１を形成する際に一体的に形成しておくこともできる。
【図面の簡単な説明】
【図１】本発明の目盛りマーカーの紙台の一例を示す斜視図である。
【図２】図１のII-II 線断面図である。
【図３】本発明のマーク部材の一例を示す斜視図である。
【図４】本発明のアダプターの一例を示す斜視図である。
【図５】図４の平面図である。
【図６】図５のV-V 線断面図である。
【図７】本発明の目盛りマーカーの使用例を示す斜視図である。
【図８】図７の後続の使用例を示す斜視図である。
【図９】マーク部材とアダプターの収納途中を示す正面図である。
【図１０】マーク部材とアダプターの収納完了状態を示す正面図である。
【図１１】  (A) は図４のアダプターの変形例を示す斜視図、(B) は別のアダプター示す斜視図である。
【図１２】図４のアダプターの別の変形例を示す斜視図である。
【図１３】図12のVIII-VIII 線断面図である。
【図１４】図４のアダプターのさらに別の変形例を示す斜視図である。
【図１５】マーク部材の変形例を示す斜視図である。
【符号の説明】
１        記録紙台
２        アダプター
３        マーク部材
４        載置面
５        軸突起
６        延出面
８,11     板体
9a〜9c    軸穴付突起
10        軸穴
12a 〜12c 軸受孔
13        挿入孔
14        挿入孔部
15        リング部材
【図１】
0003739490.tif 000002
【図２】
0003739490.tif 000003
【図３】
0003739490.tif 000004
【図４】
0003739490.tif 000005
【図５】
0003739490.tif 000006
【図６】
0003739490.tif 000007
【図７】
0003739490.tif 000008
【図８】
0003739490.tif 000009
【図９】
0003739490.tif 000010
【図１０】
0003739490.tif 000011
【図１１】
0003739490.tif 000012
【図１２】
0003739490.tif 000013
【図１３】
0003739490.tif 000014
【図１４】
0003739490.tif 000015
【図１５】
0003739490.tif 000016